(57)【要約】  運搬可能でモジュール式の衣類用スチーマ(20)は、キャリッジ(24)と、それに分離可能に取付けられたスチーマ本体(22)とを有する。スチーマ本体(22)は、水タンク(28)と、リザーバと、蒸気チャンバとを有する。蒸気チャンバに接続された蒸気ホースによって、ユーザは、スチーマから出る蒸気の方向を制御できる。キャリッジ(24)は、組立体を移動させる車輪(88)を有する。加えて、スチーマ本体(22)は、持運び用ストラップを有し、キャリッジ(24)から分離されたときの運搬性を提供する。蒸気の発生を制御するために、水加熱要素をオン／オフスイッチ、サーモスタット及び／又はタイマーによって制御し且つ選択的に動作させる。
2009524446.tif 000002
【特許請求の範囲】
【請求項１】
運搬可能でモジュール式の衣類用スチーマであって、
キャリッジと、
水タンク、リザーバ、及び蒸気チャンバを有し、且つ、前記キャリッジに分離可能に取付けられたスチーマ本体と、
前記蒸気チャンバに接続された蒸気ホースと、を有する衣類用スチーマ。
【請求項２】
前記水タンクは、流れ弁を含むキャップを有する、請求項１に記載の衣類用スチーマ。
【請求項３】
前記リザーバは、前記流れ弁と係合するプラットホームを有する、請求項２に記載の衣類用スチーマ。
【請求項４】
更に、前記リザーバを前記蒸気チャンバに接続するための管と、この管に接続された排水プラグと、を有する請求項１に記載の衣類用スチーマ。
【請求項５】
前記蒸気チャンバは、水加熱要素を有する、請求項１に記載の衣類用スチーマ。
【請求項６】
更に、前記水加熱要素を第１のオン／オフスイッチに電気的及び作動的に接続するための手段を有する、請求項５に記載の衣類用スチーマ。
【請求項７】
更に、前記第１のオン／オフスイッチに電気的及び作動的に接続されるサーモスタットを有する、請求項６に記載の衣類用スチーマ。
【請求項８】
更に、第２のオン／オフスイッチを有し、前記第１のオン／オフスイッチは前記接続するための手段に電気的及び作動的に接続され、前記第２のオン／オフスイッチは前記水加熱要素に電気的及び作動的に接続される、請求項６に記載の衣類用スチーマ。
【請求項９】
前記接続するための手段は、電源コードを有し、この電源コードは、モジュール式であって、前記スチーマ本体から分離可能である、請求項６に記載の衣類用スチーマ。
【請求項１０】
前記接続するための手段は、電源コードを有し、この電源コードは、前記スチーマ本体のキャビティの中に引込み可能である、請求項６に記載の衣類用スチーマ。
【請求項１１】
更に、前記第１のオン／オフスイッチに接続されたタイマーを有する、請求項６に記載の衣類用スチーマ。
【請求項１２】
前記キャリッジは、衣類用ロッドと、各車輪の上に位置するバンパーキャップと、を有する、請求項１に記載の衣類用スチーマ。
【請求項１３】
前記スチーマ本体は、分離可能な持運び用ストラップを有する、請求項１に記載の衣類用スチーマ。
【請求項１４】
運搬可能でモジュール式の衣類用スチーマであって、
キャリッジと、
水タンク、リザーバ、及び蒸気チャンバを有し、且つ、前記キャリッジに分離可能に取付けられたスチーマ本体と、を有し、前記水タンクは、流れ弁を含むキャップを有し、
更に、前記蒸気チャンバに接続された蒸気ホースと、
前記水タンク内の水加熱要素を第１のオン／オフスイッチに電気的及び作動的に接続するための手段と、を有する衣類用スチーマ。
【請求項１５】
前記リザーバは、前記流れ弁と係合するプラットホームを有する、請求項１４に記載の衣類用スチーマ。
【請求項１６】
前記リザーバを前記蒸気チャンバに接続するための管と、この管に接続された排水プラグと、を有する請求項１４に記載の衣類用スチーマ。
【請求項１７】
更に、前記第１のオン／オフスイッチに電気的及び作動的に接続されたサーモスタットを有する、請求項１４に記載の衣類用スチーマ。
【請求項１８】
更に、第２のオン／オフスイッチを有し、前記第１のオン／オフスイッチは、前記接続するための手段に電気的及び作動的に接続され、前記第２のオン／オフスイッチは、前記水加熱要素に電気的及び作動的に接続される、請求項１４に記載の衣類用スチーマ。
【請求項１９】
前記接続するための手段は、電源コードを有し、この電源コードは、モジュール式であって、前記スチーマ本体から分離可能である、請求項１４に記載の衣類用スチーマ。
【請求項２０】
前記接続するための手段は、電源コードを有し、この電源コードは、前記スチーマ本体のキャビティの中に引込み可能である、請求項１４に記載の衣類用スチーマ。
【請求項２１】
更に、前記第１のオン／オフスイッチに接続されたタイマーを有する、請求項１４に記載の衣類用スチーマ。
【請求項２２】
前記キャリッジは、衣類用ロッドと、各車輪の上に位置するバンパーキャップと、を有する、請求項１４に記載の衣類用スチーマ。
【請求項２３】
前記スチーマ本体は、分離可能な持運び用ストラップを有する、請求項１４に記載の衣類用スチーマ。
【請求項２４】
運搬可能でモジュール式の衣類用スチーマであって、
衣類用ロッド、及び各車輪の上に位置するバンパーキャップを有するキャリッジと、
水タンク、リザーバ、及び蒸気チャンバを有し、且つ、前記キャリッジに分離可能に取付けられたスチーマ本体と、を有し、前記水タンクは、流れ弁を含むキャップを有し、前記リザーバは、前記流れ弁と係合するプラットホームを有し、
更に、前記蒸気チャンバに接続された蒸気ホースと、
前記水タンク内の水加熱要素を第１のオン／オフスイッチに電気的及び作動的に接続するための手段と、
前記第１のオン／オフスイッチに接続されたタイマーと、を有する衣類用スチーマ。
【請求項２５】
更に、前記リザーバを前記蒸気チャンバに接続するための管と、この管に接続された排水プラグと、を有する、請求項２４に記載の衣類用スチーマ。
【請求項２６】
更に、前記第１のオン／オフスイッチに電気的及び作動的に接続されたサーモスタットを有する、請求項２４に記載の衣類用スチーマ。
【請求項２７】
更に、第２のオン／オフスイッチを有し、前記第１のオン／オフスイッチは、前記接続するための手段に電気的及び作動的に接続され、前記第２のオン／オフスイッチは、前記水加熱要素に電気的及び作動的に接続される、請求項２４に記載の衣類用スチーマ。
【請求項２８】
前記接続するための手段は、電源コードを有し、この電源コードは、モジュール式であって、前記スチーマ本体から分離可能である、請求項２４に記載の衣類用スチーマ。
【請求項２９】
前記接続するための手段は、電源コードを有し、この電源コードは、前記スチーマ本体のキャビティの中に引込み可能である、請求項２４に記載の衣類用スチーマ。
【請求項３０】
前記スチーマ本体は、分離可能な持運び用ストラップを有する、請求項２４に記載の衣類用スチーマ。
【発明の詳細な説明】
【技術分野】
【０００１】
本発明は、概略的には、衣類を含む織物物品を処理するための装置に関する。より詳しくは、本発明は、衣類用スチーマに関する。
【背景技術】
【０００２】
衣類に蒸気を当てるための運搬可能で効率的な装置の強い要望が存在する。衣服及びその他の衣類にアイロンをかけるとき、蒸気アイロンを使用することが知られている。「スチーマ」と称するアイロンでない装置は、ハンガに掛けた又はラックに吊した衣服に蒸気を噴射することによって、衣服からしわや折り目を除去するのに使用されている。これらのスチーマは、アイロンに見られる高温プレス板を備えていないので、アイロンがけの機能を有していない。蒸気アイロン及びスチーマは両方とも、吊された衣類及びその他の衣服の素材から折り目及びしわを除去するために、蒸気を当てるのに使用されている。また、蒸気は、例えば、カーテン、寝椅子、家具カバー（例えば、寝椅子カバー）などの様々な対象物のクリーニングにも使用されている。
【０００３】
多くの異なるタイプのアイロン及び蒸気装置が、衣服などの対象物に、アイロンをかけたり蒸気を当てたりするのに採用されている。しかしながら、これらのスチーマ及び蒸気アイロンは、上述した及び後述する制限を有している。例えば、米国特許第６，０６１，９３５号（特許文献１）は、スチーマ及びアイロンを用いて衣類を処理するための装置を開示している。しかしながら、この装置は、比較的大型でかさばる多部品装置であり、スチーマ及びアイロンが取り付けられるベースに位置する共通の水供給部を共用する別々のスチーマアタッチメント及びアイロンアタッチメントを必要とする。このシステムは、運搬性を必要とする状況において、実用的でない。
【０００４】
【特許文献１】米国特許第６，０６１，９３５号
【発明の開示】
【発明が解決しようとする課題】
【０００５】
上述したような装置は、衣類に蒸気をかける手段を有するけれども、そうした装置は、より良い運搬性及びフレキシビリティを有するように常に改良されている。
【０００６】
従って、運搬可能であり、様々な用途に有用な、衣類用スチーマ装置の要望が存在する。さらに、モジュール式である衣類用スチーマの要望がある。比較的小型であり、安価である、モジュール式のスチーマ装置の追加的な要望がある。本発明は、これらの要望を満足させて、それに関連した他の利点を有する。
【０００７】
本発明の追加的な目的及び利点は、一部は図面から、一部は説明から明らかになり、又は発明の実施から学ばれる。
【課題を解決するための手段】
【０００８】
本発明は、運搬可能でモジュール式の衣類用スチーマに関し、キャリッジと、キャリッジから分離可能なスチーマ本体とを有している。スチーマ本体は、分離可能にキャリッジに取付けられ、スチーマの運搬性を高めることができる。スチーマ本体は、水タンクと、リザーバと、蒸気チャンバとを有する。蒸気チャンバには、蒸気ホースが結合される。
【０００９】
水タンクは、自己閉鎖式の流れ弁を有する。リザーバは、水タンクをリザーバに挿入したときに流れ弁を開くように流れ弁と係合するプラットホームを有する。リザーバを蒸気チャンバに接続する管が設けられる。この管に接続された排水プラグが、スチーマの排水を容易にする。
【００１０】
蒸気チャンバは、水を蒸気に変換するための水加熱要素を有する。水加熱要素及び第１のオン／オフスイッチは、電源コード又はそれと類似の構造体によって、電気的及び作動的に接続される。加えて、サーモスタットが、第１のオン／オフスイッチに電気的及び作動的に接続される。また、タイマーが、第１のオン／オフスイッチに接続される。加熱要素に電気的及び作動的に接続された第２のオン／オフスイッチが設けられてもよい。第２のオン／オフスイッチが設けられる場合、第１のオン／オフスイッチは、電源コードだけに電気的及び作動的に接続されてもよい。
【００１１】
電源コードは、モジュール式で且つスチーマ本体から分離可能であってもよいし、永久的に取付けられ且つスチーマ本体のキャビティの中に引込み可能であってもよい。スチーマ本体は、分離可能な持運び用ストラップを有する。キャリッジは、衣類用ロッドと、各車輪の上に位置するバンパーキャップとを有する。
【００１２】
添付図面は、本願に組み込まれて一部分を構成するものであり、本発明のいくつかの実施形態を例示しており、詳細な説明と併せて、本発明の原理を説明するために役立つものである。上述した概説及び以下の説明の両方、及び添付図面は、単に例示的及び説明的に過ぎず、特許請求の範囲に記載された発明の範囲を制限しないことを理解されたい。
【００１３】
添付図面は、本発明を示している。
【発明を実施するための最良の形態】
【００１４】
本発明は、フレキシビリティ、運搬性、及びモジュール性を必要とする様々な適用例に有用である。この装置は、対象物に蒸気を当てることを必要とする任意の状況において使用可能である。これらの状況は、家庭、ホテル、オフィスなど、対象物に蒸気を当てることが必要な任意の箇所で生じ得る。本発明は、比較的小型のサイズであり、安価である。
【００１５】
例示の目的のための図面に示すように、本発明は、衣類用スチーマに関する。図１〜図１８を参照すると、衣類用スチーマ装置２０は、スチーマ２２と、スチーマ２２が載せられる４輪トラックキャリッジ２４とを有している。衣類用スチーマ２２は、運搬性のためにキャリッジ２４上に配置されてもよいし、便利さのためにキャリッジ２４から取外されて肩にかけて持運びを行ってもよい。第１の形態では、スチーマ２２は機能的に分離可能にキャリッジ２４に取付けられ（図１、図３、図６、図９、図１２、及び図１６）、第２の形態では、スチーマ２２はキャリッジ２４から取外される（図２、図４、及び図５）。
【００１６】
スチーマ２２は、電気的及び機械的な部品のためのハウジング２６を有している。スチーマ２２は、所定量の水を保持するために、モジュール式の水タンク２８を有し、水タンク２８は、蒸気に変換させるべき水を保持している。水タンク２８は、その両側に把持用凹部を有し、ユーザが水タンク２８を把持して、スチーマ２２をハウジング２６に係合させたり又はそれから取外したりするのを助ける。水タンク２８は、半透明又は透明なプラスチックで作られ、ユーザは、水タンク２８内部の水のレベルを見ることができる。ハウジング２６及び水タンク２８は、それらを結合させたときに連続的な外観を有するように形成されている。
【００１７】
水タンク２８は、流れ弁３２を備えたキャップ３１を有し、この流れ弁３２は、水タンク２８をハウジング２６に結合されたときに開き、水タンク２８をハウジング２６から取外したときに閉じるように構成されている。水タンク２８をハウジング２６に結合させるために水タンク２８及びハウジング２６を整列させるとき、流れ弁３２は、下向きであり、閉位置にある。水タンク２８をハウジング２６と結合させたとき、流れ弁３２の一部分３４が、ハウジング２６の内部のプラットホームに当接し、流れ弁３２がプラットホーム３６と接触することにより、流れ弁３２が開かれる。流れ弁３２が閉じられたとき、流れ弁３２の別の部分３８が、水タンク２８の開口部４０を密封する。
【００１８】
プラットホーム３６は、スチーマ２２の内部のリザーバ４２内に配置されている。リザーバ４２の内の水は、横管４６に通じる管４４に沿って、下方に流れる。横管４６は、ハウジング２６の内部にある蒸気チャンバ４８に接続されている。また、管４４は、スチーマ２２の底に配置された排水プラグ５０に通じている。排水プラグ５０が、ユーザがそれを開くことを可能にするためにヒンジ留めされ、水タンク２８がハウジング２６に結合されているとき、水をリザーバ４２及び水タンク２８から排出させる。
【００１９】
ガスケット５２は、水タンク２８をスチーマ２２に結合させたときに圧入シールを形成し、それにより、リザーバ４２の上開口部５４を密封している。
【００２０】
蒸気チャンバ４８は、ハウジング２６の内部において、熱シールド５５によって囲まれている。蒸気チャンバ４８は、所定量の水を保持し、水から蒸気を発生させるためにチャンバ４８内の水を加熱するヒータ５６を有している。ヒータ５６は、少なくとも１つの金属要素の形態であり、金属要素に電流が印加されると、チャンバ４８内の水を加熱する。金属要素は、銅等の高い導電性の金属で作られる。ヒータ５６によって発生した蒸気は、スチーマ２２の内部の蒸気通路５８に流入し、蒸気ホース６０を通ってスチーマ２２から出る。蒸気ホース６０は、ホースロックナット６２とロックナットカバー６４とによって、スチーマ２２に結合される。衣類用スチーマの様々な種類のアタッチメントは、蒸気ホース６０の自由端に結合されている。
【００２１】
スチーマ２２は、延長可能な電源コード６６を有し、電源コード６６は、従来の壁面の電気ソケットに差し込まれる従来のプラグ（図示せず）を有している。電源コード６６からの電力は、スチーマ２２の電気システムに電力を供給し、電源コード６６は、スチーマ２２のオン／オフスイッチ６８に電気的及び作動的に接続され、スチーマ装置２０の中を流れる電力量を調節する。オン／オフスイッチ６８は、複数の電気ケーブル７０を介してヒータ５６に電気的及び作動的に接続されている。また、オン／オフスイッチ６８は、サーモスタット７２に電気的及び作動的に接続されている。サーモスタット７２は、蒸気チャンバ４８の内部の温度が高くなり過ぎると、自動的に、電気系を通る電力を切断する。オン／オフスイッチ６８は、スチーマ２２からの蒸気の排出動作を作動させたり、非作動にしたりする。変形例として、電力及び蒸気発生機能は、別々のスイッチによって制御されてもよい。電源コード６６の一端は、永久的に、スチーマ２２に取付けられている。変形例として、電源コード６６は、スチーマ２２に取付け／取外し可能なように、モジュール式であってもよい。さらに別の変形例として、スチーマ２２が使用されないとき、電源コード６６がハウジング２６のキャビティ（図示せず）内に回収され且つ収容されてもよい。変形例としては、タイマーをオン／オフスイッチ６０に接続し、自動的な電源遮断を行ってもよい。
【００２２】
スチーマ２２は、持運び用ストラップ７４を有し、ストラップ７４は、その長さを調節するためのストラップロック７６を有している。ストラップ７４は、スチーマ２２に取付け及び取外し可能である。スチーマ２２はさらに、スチーマ２２の底部に複数のゴム足７８を有し、ハウジング２６を、スチーマ２２を表面に接触させずに、その上に載置できる。
【００２３】
また、スチーマ２２は、スチーマ２２とキャリッジ２４とが結合しているときに、スチーマ２２をキャリッジ２４から分離するトラックキャリッジ解放機構８０を有している。解放機構８０は、スチーマ２２の底部後方付近に配置された解放ボタン８２を有している。
【００２４】
キャリッジ２４は、延長可能な衣類用ロッド８４を有し、衣類用ロッド８４は、引込み位置と拡張位置との間をテレスコープ式に延長可能である。衣類用ロッド８４は、ユーザによって所望の延長量に設定され、衣類用ロッド８４の基部に配置された衣類用ロッドの固定装置８６を用いて、所定位置に固定される。固定装置８６を一方の方向に回すと、衣類用ロッド８４は所望の延長量に保持され、固定装置８６を反対の方向に回すと、衣類用ロッド８４の保持を緩め、衣類用ロッド８４は、短い又は長い長さに調節される。
【００２５】
キャリッジ２４は、そのコーナーに配置された４つの車輪即ちキャスター８８を有する。それぞれの車輪８８の上部及び周囲に、キャリッジ２４が家具の近くを通るときに家具を保護するバンパーキャップ９０が配置される。バンパーキャップ９０は、少なくとも２つの圧入機構９２を有するように設計され、圧入機構９２は、その相手方であるキャリッジ２４の孔９４を貫通するように設計され、所定位置にスナップ係合して、バンパーキャップ９０を所定位置に保持する。各車輪８８の軸部９６は、キャリッジ２４の特定のコーナーの孔９８を貫通する。軸部９６は、その相手方であるバンパーキャップ９０の孔１００に圧入されるように設計されている。
【００２６】
キャリッジ２４は、電源コード６６が絡むのを防ぐために、電源コード６６を通すための通路１０２を有している。キャリッジ２４は、更に、スチーマ２２の排水プラグ５０の下方に配置され且つ整列された、孔１０４を有している。
【００２７】
キャリッジ２４は、その上面に配置された凹部１０６を有し、スチーマ２２の外形を構成し、スチーマ２２をキャリッジ２４に結合させたときにスチーマ２２を受け入れるように形状決めされ且つ寸法決めされている。キャリッジ２４はさらに、第１の支柱１０８及び第２の支柱１１８を有し、第１の支柱１０８及び第２の支柱１１８は、スチーマ２２をキャリッジ２４に結合させたときに、スチーマ２２の解放機構８０と係合する。
【００２８】
キャリッジ２４は、プラスチック又はアルミニウムで型成形によって作られるのがよい。
【００２９】
スチーマ２２及びキャリッジ２４が互いに作動可能に且つ分離可能に取付けられるとき、スチーマ２２は、スライドロック式にキャリッジ２４に係合する。スチーマ２２とキャリッジ２４とは、第１の支柱１０８及び第２の支柱１１０のところで、第１の方向に摺動して係合する。スチーマ２２の底部内の凹部１１４から延びる支柱１１２は、第１の支柱１０８の孔１１５を貫く。それと同時に、スチーマ２２をキャリッジ２４の凹部１０６に向かって下げると、第２の支柱１１０は、スチーマ２２の別の凹部１１８の中に入り、スチーマ２２の解放機構８０に係合する。第２の支柱１１０は、凹部１１８の中に延びる支柱１２０に係合する。この支柱１２０は、その一方の端部が、スチーマ２２の内部に配置されたばね１２２に連結されている。スチーマ２２の支柱１２０がトラックキャリッジの第２の支柱１１０に係合すると、ばね１２２に圧力が作用して、ばね１２２自体が支柱１２０に圧力を及ぼし、それにより、支柱１２０が第２の支柱１１０の孔１２４に通り抜けるまで、ばね１２２が支柱１１０を押す。ばね１２２は、ユーザが解放ボタン８２を押すまで、支柱１２０を所定位置に「保持」する。支柱１２０と整列したばね１２６が、解放ボタン８２に結合されている。解放ボタン８２を押すと、ばね１２６は、支柱１２０と接触し、支柱１２０を第２の支柱１１０の孔１２４の中に押込むのに充分な圧力を支柱１２０に作用させ、それにより、支柱１２０をキャリッジ２４の第２の支柱１１０から分離させる。スチーマ２２の両方の支柱１１２，１２０がキャリッジ２４の第１の支柱１０８及び第２の支柱１１０と係合しているとき、スチーマ２２はキャリッジ２４に結合されている。
【００３０】
使用に際しては、ユーザは、着用する衣類を準備して、衣類に蒸気を当て、衣類から折り目及びその他のしわを除去する。ユーザは、水タンク２８を上下逆に保持して、タンク２８の開口４０に水を注いで、スチーマ２２の水タンク２８に水を充填する。水タンク２８が上下逆のとき、流れ弁３２は開通し、水は水タンク２８に入ることができる。ユーザは、いったん水タンク２８を所望のレベルまで充填したら、水タンク２８をひっくり返して、流れ弁３２を閉じる。ユーザは、キャップ３１を下方に向けた状態で、水タンク２８をリザーバ４２の上方のスチーマ２２の凹部１２８に挿入することによって、水タンク２８をスチーマ２２に取付ける。水タンク２８をスチーマ２２に結合させたとき、水タンク２８は、リザーバ４２の上部開口５４を取り囲むガスケット５２に圧入シールされる。プラットホーム３６が流れ弁３２に押付けられることにより、流れ弁３２を開放し、水がリザーバ４２内及び蒸気チャンバ４８内に流入させる。次に、ユーザは、スチーマ２２の電源コード６６を電源に接続し、オン／オフスイッチ６８を作動させて、水を蒸気に変換させる。
【００３１】
次に、ユーザは、衣類用ロッド８４の高さを調節し、衣類用ロッド８４の上に衣類を配置し、衣類に蒸気を当てる。変形例として、衣類用ロッド８４は、それに結合されたアームを有し、それを衣類用ロッド８４と平行な整列状態から衣類用ロッド８４と略垂直な状態まで枢動させ、ユーザは、衣類をアームの上に掛けて、それに蒸気を当ててもよい。
【００３２】
本発明の上述した実施形態は、単に例示的であり、制限ではない。従って、広義の観点において、本発明から逸脱せずに、様々な変化及び変更を施し得ることが、当業者には明らかである。
【図面の簡単な説明】
【００３３】
【図１】本発明の実施形態による衣類用スチーマを示す斜視図である。
【図２】スチーマをトラックから取外した、図１の衣類用スチーマの斜視図である。
【図３】図１の衣類用スチーマの側面図である。
【図４】スチーマをトラックから取外した、図１の衣類用スチーマの側面図である。
【図５】図４の衣類用スチーマの破断した側面図である。
【図６】図３の衣類用スチーマの破断した側面図である。
【図７】図１のスチーマを示す正面図である。
【図８】図１のキャリッジを示す正面図である。
【図９】図１の衣類用スチーマを示す正面図である。
【図１０】図１のキャリッジを示す背面図である。
【図１１】図１のスチーマを示す背面図である。
【図１２】図１の衣類用スチーマを示す背面図である。
【図１３】図１のキャリッジの一部分を破断した正面図である。
【図１４】図１のスチーマを示す平面図である。
【図１５】図１のスチーマを示す底面図である。
【図１６】図１の衣類用スチーマを示す平面図である。
【図１７】図１のキャリッジを示す平面図である。
【図１８】図１のキャリッジを示す底面図である。
【図１】
2009524446.tif 000003
【図２】
2009524446.tif 000004
【図３】
2009524446.tif 000005
【図４】
2009524446.tif 000006
【図５】
2009524446.tif 000007
【図６】
2009524446.tif 000008
【図７】
2009524446.tif 000009
【図８】
2009524446.tif 000010
【図９】
2009524446.tif 000011
【図１０】
2009524446.tif 000012
【図１１】
2009524446.tif 000013
【図１２】
2009524446.tif 000014
【図１３】
2009524446.tif 000015
【図１４】
2009524446.tif 000016
【図１５】
2009524446.tif 000017
【図１６】
2009524446.tif 000018
【図１７】
2009524446.tif 000019
【図１８】
2009524446.tif 000020
【図１９】
2009524446.tif 000021
【図２０】
2009524446.tif 000022
【図２１】
2009524446.tif 000023